【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
患者介護システムであって：
各々が複数の運転パラメータを含む、複数の構成データ・ベースを格納するためのメモリを含む患者介護装置と；
前記装置と通信し、患者固有情報を含む少なくとも１つのデータ・ベースを含むネットワークと；
前記複数の構成データ・ベースから、１つの構成データ・ベースを、少なくとも部分的に介護装置に通信された前記患者固有情報に基づいて活性化するための手段とを含む患者介護システムにおいて、
患者介護装置が活性化された構成データ・ベースの運転パラメータの複数グループの少なくとも１つに基づいて運転される、前記患者介護システム。
【請求項２】
請求項１記載のシステムにおいて、前記ネットワークが手動による対話形式で通信する複数の個別データ・ベースを含む、前記システム。
【請求項３】
請求項１記載のシステムにおいて、前記ネットワークが自動的な対話形式で通信する複数の個別データ・ベースを含む、前記システム。
【請求項４】
請求項１記載のシステムにおいて、ネットワークと介護装置との間の通信が符号化されたデータ入力装置またはネットワーク接続により与えられる、前記システム。
【請求項５】
請求項１記載のシステムにおいて、患者固有情報が任意の患者識別子、患者位置、患者介護装置位置、患者年齢、身体特性または医療特性を含む、前記システム。
【請求項６】
請求項１記載のシステムにおいて、活性化させるための手段が：
前記患者介護装置内のプロセッサ；
前記プロセッサと通信する患者固有情報入力装置と；
前記メモリ内に格納されたコンピュータ・プログラムとを含み、前記コンピュータ・プログラムが前記プロセッサで実行可能であり、少なくとも部分的に入力された患者固有情報に基づいて、前記複数の構成データ・ベースから特定構成データ・ベースを活性化するための命令を含む、前記システム。
【請求項７】
請求項６記載のシステムにおいて、患者固有情報が患者識別子、患者位置、患者介護装置位置、患者年齢、身体的特性、生理学的特性、心理的特性、患者治療履歴、患者治療記録、患者診断、または介護提供者識別子を含む、前記システム。
【請求項８】
請求項６記載のシステムにおいて、前記入力装置が符号化データ入力装置またはネットワーク接続である、前記システム。
【請求項９】
請求項１記載のシステムにおいて、前記選択手段が患者介護装置位置センサを含み、特定構成データ・ベースの選択が、少なくとも部分的に患者介護装置の位置に基づいてなされる、前記システム。
【請求項１０】
請求項１記載のシステムにおいて、前記複数の構成データ・ベースの少なくとも１つの中の運転パラメータが、複数のグループに組織化されている前記システム。
【請求項１１】
請求項１０記載のシステムにおいて、前記複数のグループの少なくとも１つが、患者に薬物を投与するために前記患者介護装置を運転するためのパラメータを定義する手順である、前記システム。
【請求項１２】
請求項１記載のシステムにおいて、前記構成データ・ベースの少なくとも１つが、複数の薬剤投与手順を含み、前記手順の少なくとも１つが手順識別子と、患者介護装置が薬剤を投与するためのプログラミング用の少なくとも１つの初期設定パラメータ値とを含む、前記システム。
【請求項１３】
請求項１２記載のシステムが更に：
前記患者介護装置に動作的に接続された符号化データ入力装置と；
符号化された患者介護指令を含むラベルを有する薬剤容器とを含み、データ入力装置が符号化された患者介護指令をラベルから前記患者介護装置の中へ読み込むことの可能な、前記システム。
【請求項１４】
請求項１３記載のシステムにおいて、符号化された患者介護指令が手順識別子を含み、符号化された患者介護指令を読み取ることで、手順識別子で識別された手順を起動する、前記システム。
【請求項１５】
請求項１４記載のシステムにおいて、符号化された患者介護指令が更に初期設定パラメータからの差分を含み、患者介護装置がその差分パラメータに基づいて薬剤を投与する手順を実行するようにプログラムされる、前記システム。
【請求項１６】
請求項１記載のシステムにおいて、患者介護装置が輸液ポンプ、注射器ポンプ、患者管理型麻酔ポンプ、硬膜外ポンプ、腸ポンプまたは生理学的監視装置のいずれかを含む、前記システム。
【請求項１７】
請求項１記載のシステムにおいて、患者介護装置がインタフェース・ユニットとインタフェース・ユニットに着脱可能で動作可能なように接続された少なくとも１つの機能ユニットとを含み、インタフェース・ユニットが前記メモリを含み、前記機能ユニットが前記複数の構成データ・ベースの少なくとも１つに基づいて患者に対する介護を提供するようプログラミングされた、前記システム。
【請求項１８】
請求項１７記載のシステムにおいて、機能ユニットが輸液ポンプ、注射器ポンプ、患者管理型麻酔ポンプ、硬膜外ポンプ、腸ポンプまたは生理学的監視装置のいずれかを含む、前記システム。
【請求項１９】
患者介護システムであって：
プロセッサとメモリとを含み、前記メモリは複数の構成データ・ベースを格納し、患者に対して治療を提供したりまたは患者の状態監視を、前記複数の構成データ・ベースから選択された１つの構成データ・ベースで定義された運転パラメータに基づいて行う、患者介護装置と；
前記患者介護装置と通信し、患者固有情報を患者介護装置に入力するようにされている入力装置とを含み；
プロセッサが、入力装置を通して患者介護装置に入力された患者固有情報に応答して、第１の構成データ・ベースを前記複数の構成データ・ベースから選択する、前記患者介護システム。
【請求項２０】
請求項１９記載の患者介護システムにおいて、入力装置が符号化データ入力装置である、前記患者介護システム。
【請求項２１】
請求項２０記載の患者介護システムにおいて、入力装置がバーコード読み取り機である、前記患者介護システム。
【請求項２２】
請求項２０記載の患者介護システムにおいて、入力装置が磁気媒体読み取り機または音声認識装置である、前記患者介護システム。
【請求項２３】
請求項１９記載の患者介護システムにおいて、入力装置がネットワーク接続である、前記患者介護システム。
【請求項２４】
請求項２３記載の患者介護システムが更にネットワークを含み、前記ネットワークが前記インタフェース・ユニットの前記ネットワーク接続と、手動による対話形式または自動的対話形式を介して通信を行う少なくとも１つのデータ・ベースを含む、前記患者介護システム。
【請求項２５】
請求項２４記載の患者介護システムにおいて、前記ネットワーク接続が無線ネットワーク接続である、前記患者介護システム。
【請求項２６】
請求項１９記載の患者介護システムにおいて、患者固有情報が位置を含む、前記患者介護システム。
【請求項２７】
請求項２６記載の患者介護システムにおいて、その位置が患者の位置、患者介護装置の位置、またはネットワーク・アドレスのいずれかである、前記患者介護システム。
【請求項２８】
請求項１９記載の患者介護システムにおいて、前記患者介護装置が：
プロセッサおよびメモリを含み、入力装置と通信を行うインタフェース・ユニットと；
インタフェース・ユニットと通信を行い、患者に治療を提供したり、患者の状態監視を、選択された構成データ・ベースで定義された運転パラメータに基づいて行うようプログラミングされた機能ユニットとを含む、前記患者介護システム。
【請求項２９】
請求項２８記載の患者介護システムにおいて、前記機能ユニットが前記インタフェース・ユニットに遠隔的に接続されている、前記患者介護システム。
【請求項３０】
請求項２８記載の患者介護システムにおいて、機能ユニットが輸液ポンプ、注射器ポンプ、ＰＣＡポンプ、硬膜外ポンプ、腸ポンプ、血圧モニタ、パルス・オキシメータ、ＥＫＧモニタ、ＥＥＧモニタ、心拍数モニタまたは頭蓋内圧モニタのいずれかである、前記患者介護システム。
【請求項３１】
患者介護システムであって：
プロセッサとメモリとを含み、前記メモリは複数の構成データ・ベースを格納するインタフェース・ユニットと；
前記インタフェース・ユニットと通信し、患者固有情報をインタフェース・ユニットに入力するようにされている入力装置と；
取り外し可能なようにインタフェース・ユニットに接続され、それを通して通信し、患者に対して介護を提供したりまたは患者の状態監視を、複数の構成データ・ベースから選択された１つの構成データ・ベースに基づいて行うことの出来る機能ユニットと；
前記インタフェース・ユニットと通信し、患者固有情報を含む少なくとも１つのデータ・ベースを含み、前記インタフェース・ユニットと手動による対話形式または自動的な対話形式を介して通信するネットワークとを含み；
プロセッサが、入力装置を通してインタフェース・ユニットに入力された患者固有情報に応答して、１つの構成データ・ベースを前記複数の構成データ・ベースから選択し、前記機能ユニットが患者に対する治療を提供したりまたは患者の状況を選択された構成データ・ベースに基づいて監視するようプログラミングされた、前記患者介護システム。
【請求項３２】
請求項３１記載のシステムにおいて、入力装置がネットワーク接続または符号化データ入力装置を含む、前記システム。
【請求項３３】
請求項３１記載のシステムにおいて、機能ユニットが薬剤または液体を患者に投与するためのポンプを含み、前記機能ユニットは前記薬剤を選択された構成データ・ベースに基づいて投与する、前記システム。
【請求項３４】
請求項３１記載のシステムにおいて、選択された構成データ・ベースが前記機能ユニットを動作させる少なくとも１つの手順を含み、機能ユニットがその手順に基づき患者に治療を提供したりまたは患者の状態を監視するように動作する、前記システム。
【請求項３５】
請求項３１記載のシステムにおいて、患者固有情報が患者の位置、インタフェース・ユニットの位置、ネットワーク・アドレス、または患者治療特性のいずれかである、前記システム。
【請求項３６】
患者に介護を提供するための方法であって：
患者介護装置のメモリ内に格納されている複数の構成データ・ベースから１つの構成データ・ベースを活性化し、前記患者介護装置は患者への介護の提供または患者の状態監視を、活性化された構成データ・ベースに基づいて行うことが可能であり、前記構成データ・ベースは前記患者介護装置を運転するためのパラメータを定義する少なくとも１つの手順を含み；
前記患者介護装置が前記活性化された構成データ・ベースに基づいて動作するように構成し；
患者介護手順を前記活性化された構成データ・ベースから選択し；
前記患者介護装置を選択された手順で定義された運転パラメータに基づいて、患者に介護を提供するように運転するようプログラミングする、手順を含む前記方法。
【請求項３７】
請求項３６記載の方法において、入力装置が符号化データ入力装置またはネットワーク接続である、前記方法。
【請求項３８】
請求項３７記載の方法において、構成データ・ベースの活性化が、患者介護装置をコンピュータのネットワーク内での１つの位置に位置決めすることを含み、活性化された構成データ・ベースがネットワーク内の前記位置の関数として選択されるようにする、前記方法。
【請求項３９】
請求項３６記載の方法において、構成データ・ベースの活性化が：
患者固有情報を前記患者介護装置の中へ、前記患者介護装置と通信を行う入力装置を用いて入力し；
構成データ・ベースを前記複数の構成データ・ベースから、少なくとも部分的に前記患者固有情報に基づいて選択する、手順を含む前記方法。
【請求項４０】
請求項３９記載の方法において、患者固有情報が患者の位置、患者介護装置の位置、ネットワーク・アドレス、または患者治療特性のいずれかである、前記方法。
【請求項４１】
請求項３６記載の方法において、構成データ・ベースの活性化が、１つの構成データ・ベースを構成データ・ベースのメニューから、患者介護装置と通信を行う入力装置を用いて選択することを含む、前記方法。
【請求項４２】
請求項３６記載の方法において、患者介護手順の選択が、前記患者介護手順に対応する手順識別子を、患者介護装置と通信を行う入力装置を用いて入力することを含む、前記方法。
【請求項４３】
請求項４２記載の方法において、前記患者介護手順が薬剤識別子と少なくとも１つの薬剤投与パラメータを含む、前記方法。
【請求項４４】
請求項４３記載の方法において、前記少なくとも１つの薬剤投与パラメータが、濃度、容器サイズ、投薬量、ボーラス投薬、投薬速度、最大投薬速度、最少投薬速度、最大累積投薬量、容積または薬剤副作用識別子のいずれかである、前記方法。
【請求項４５】
請求項３６記載の方法において、患者介護手順の選択が、手順を前記患者介護装置の使用者インタフェース上に表示された手順から、前記患者介護装置と通信を行う入力装置を用いて選択することを含む、前記方法。
【請求項４６】
請求項３６記載の方法において、前記患者介護装置が：
メモリおよびプロセッサを含むインタフェース・ユニットと；
インタフェース・ユニットと通信し、患者固有情報をインタフェース・ユニットに入力するようにされた入力装置と；
インタフェース・ユニットと通信し、患者へ治療を提供したり患者の状態の監視を活性化された構成データ・ベースに基づいて行うようプログラミングされた機能ユニットとを含む、前記方法。
【請求項４７】
患者に対して薬剤を投与するために患者介護装置をプログラミングするための方法であって：
薬剤投与手順識別子を含む符号化されたラベルを印刷し；
そのラベルを薬剤が入れられている容器に貼り付け；
手順識別子患者介護装置の中に入力し；
患者介護装置内のメモリから、識別子で識別された、複数の投薬パラメータおよび初期設定値を含む特定手順を読み出し；
特定手順に基づいて患者に薬剤を投与するように、患者介護装置をプログラミングする、手順を含む前記方法。
【請求項４８】
請求項４７記載の方法が更に、患者介護装置のメモリ内に格納されている複数の構成データ・ベースから１つの構成データ・ベースを選択することを含み、選択された構成データ・ベースが特定手順を含む、前記方法。
【請求項４９】
請求項４８記載の方法において、選択された構成データ・ベースが更に、装置に対する運転環境を定義する追加情報を含み、前記情報が手順、規則集、装置運転限界または装置運転機能のいずれかを含む、前記方法。
【請求項５０】
請求項４８記載の方法において、構成データ・ベースの選択が、患者固有情報を患者介護装置に転送し、構成データ・ベースを前記複数の構成データ・ベースから、少なくとも部分的に前記患者固有情報に基づいて選択することを可能とすることを含む、前記方法。
【請求項５１】
請求項５０記載の方法において、前記患者固有情報の転送が、患者固有情報を患者介護装置の中へ符号化データ入力装置またはネットワーク接続を用いて入力することを含む、前記方法。
【請求項５２】
請求項５１記載の方法において、前記入力ステップが前記患者介護システムに動作可能なように接続された符号化データ入力装置によって、符号化されたラベルをスキャンして読み取ることを含む、前記方法。
【請求項５３】
請求項５２記載の方法において、データ入力装置がバーコード読み取り機である、前記方法。
【請求項５４】
請求項４８記載の方法において、構成データ・ベースの選択が、患者介護装置をコンピュータのネットワーク内のある位置に位置決めし、構成データ・ベースを前記位置の関数として選択することを含む、前記方法。
【請求項５５】
請求項４５記載の方法において、符号化されたラベルが更に特定手順からの差分を表す値を含み、プログラミング・ステップが患者介護装置が患者に対してその特定手順からの差分に基づいて薬剤を投与するようにプログラミングすることを含む、前記方法。
【請求項５６】
請求項４５記載の方法において、符号化されたラベルが更に補助情報を含み、前記情報が患者識別子、第１手順からの差分および患者への投薬を開始する計画時刻を含む、前記方法。
【請求項５７】
請求項５６記載の方法が更に：
患者に取り付けられた患者識別符号をスキャンして読み取り；
患者識別符号に対応した容器ラベル上の患者識別子を確認し；
前記符号化されたラベルから補助情報を入力することを含み；
患者介護装置をプログラミングするステップが、特定手順からの差分に基づき予定された投与時間に従って、患者に薬剤を投与するように患者介護装置をプログラミングすることを含む、前記方法。
【請求項５８】
請求項５７記載の方法が更に、介護提供者識別符号のスキャン読み取りを含む、前記方法。
【請求項５９】
薬剤または液体を患者に投与することを実現するための方法であって：
患者固有情報を病院ネットワーク内のデータ・ベースから取得し；
患者固有情報を患者介護装置に、前記患者介護装置と通信している入力装置を用いて転送し、前記インタフェース・ユニットは介護装置を患者に対して介護を提供するように構成するための複数の構成データ・ベースを格納するためのメモリを含み；
複数の構成データ・ベースから１つの構成データ・ベースを前記患者固有情報に応答して活性化し、活性化された構成データ・ベースは複数の手順を含み；
前記複数の手順から１つの手順を選択し、前記手順は介護装置を薬剤または液体を患者に対して投与するようにプログラミングするための少なくとも１つのパラメータを含み；
選択された手順に基づいて薬剤または液体を患者に対して投与するように前記装置をプログラミングし；
選択された手順に基づいて薬剤または液体を患者に投与する、手順を実行するようプログラミングすることを含む前記方法。
【請求項６０】
請求項５９記載の方法において、前記患者介護装置が：
メモリおよびプロセッサを含み、入力装置と通信するインタフェース・ユニットと；
前記インタフェース・ユニットに取り外し可能なように接続され、それを通して通信し、薬剤または液体を患者に投与するためのポンプを含む機能ユニットとを含む、前記方法。